(57)【要約】【課題】ユーザが必要とする情報が投稿された投稿文のみを適切に検索することを可能にした投稿文検索システム、投稿文検索装置、投稿文検索方法及びコンピュータプログラムを提供する。【解決手段】通信端末７において案内経路が設定された場合に、投稿文の閲覧要求を投稿文検索サーバ３へと送信し、閲覧要求を受信した投稿文検索サーバ３は、案内経路と交差する道路であって、案内経路を走行する車両が案内経路から進入可能な道路である進入交差道路を取得し、進入交差道路の周辺に渋滞の要因となる施設である渋滞要因施設があると判定された場合に、『進入交差道路の名称』と『渋滞』の組み合わせ、又は『案内経路と進入交差道路の交差点の名称』と『渋滞』の組み合わせを検索ワードに設定し、コンピュータネットワーク上に投稿された投稿文の内から、設定された検索ワードを含む投稿文を検索するように構成する。【選択図】図１３
2015022741.tif 000002
【特許請求の範囲】
【請求項１】
移動体の移動予定経路を取得する移動予定経路取得手段と、
前記移動予定経路と交差する道路であって、前記移動予定経路を走行する車両が前記移動予定経路から進入可能な道路である進入交差道路を取得する交差道路取得手段と、
前記進入交差道路の周辺に渋滞の要因となる施設である渋滞要因施設があるか否か判定する渋滞施設判定手段と、
前記進入交差道路の周辺に前記渋滞要因施設があると判定された場合に、前記進入交差道路の名称又は前記移動予定経路と前記進入交差道路の交差点の名称を、検索対象名称として取得する検索対象名称取得手段と、
前記検索対象名称取得手段により取得された前記検索対象名称の文字列から検索ワードを設定する検索条件設定手段と、
コンピュータネットワーク上に投稿された投稿文の内から、前記検索条件設定手段により設定された前記検索ワードに該当する投稿文を抽出する検索手段と、を有することを特徴とする投稿文検索システム。
【請求項２】
前記渋滞施設判定手段は、前記進入交差道路の周辺であって、前記進入交差道路に対して前記移動予定経路から進入した車両が走行する車線側に前記渋滞要因施設があるか否か判定し、
前記検索対象名称取得手段は、前記進入交差道路の周辺であって、前記進入交差道路に対して前記移動予定経路から進入した車両が走行する車線側に前記渋滞要因施設があると判定された場合に、前記進入交差道路の名称又は前記移動予定経路と前記進入交差道路の交差点の名称を、前記検索対象名称として取得することを特徴とする請求項１に記載の投稿文検索システム。
【請求項３】
前記渋滞施設判定手段は、前記進入交差道路の周辺であって、前記進入交差道路に対して前記移動予定経路から進入した車両が走行する車線側の反対側に前記渋滞要因施設があるか否か判定し、
前記進入交差道路に転回可能な地点があるか否か判定する転回地点判定手段を有し、
前記検索対象名称取得手段は、前記進入交差道路の周辺であって、前記進入交差道路に対して前記移動予定経路から進入した車両が走行する車線側の反対側に前記渋滞要因施設があり、且つ前記進入交差道路に前記転回可能な地点があると判定された場合に、前記進入交差道路の名称又は前記移動予定経路と前記進入交差道路の交差点の名称を、前記検索対象名称として取得することを特徴とする請求項１に記載の投稿文検索システム。
【請求項４】
前記転回地点判定手段は、前記渋滞要因施設よりも前記移動予定経路と前記進入交差道路の交差点から離間した位置に前記転回可能な地点があるか否か判定することを特徴とする請求項３に記載の投稿文検索システム。
【請求項５】
地図情報を取得する地図情報取得手段と、
前記渋滞要因施設を特定する情報である施設特定情報を取得する施設特定情報取得手段と、を有し、
前記渋滞施設判定手段は、前記地図情報と前記施設特定情報に基づいて、前記進入交差道路の周辺に前記渋滞要因施設があるか否か判定することを特徴とする請求項１乃至請求項４のいずれかに記載の投稿文検索システム。
【請求項６】
移動体の移動予定経路を取得する移動予定経路取得手段と、
前記移動予定経路と交差する道路であって、前記移動予定経路を走行する車両が前記移動予定経路から進入可能な道路である進入交差道路を取得する交差道路取得手段と、
前記進入交差道路の周辺に渋滞の要因となる施設である渋滞要因施設があるか否か判定する渋滞施設判定手段と、
前記進入交差道路の周辺に前記渋滞要因施設があると判定された場合に、前記進入交差道路の名称又は前記移動予定経路と前記進入交差道路の交差点の名称を、検索対象名称として取得する検索対象名称取得手段と、
前記検索対象名称取得手段により取得された前記検索対象名称の文字列から検索ワードを設定する検索条件設定手段と、
コンピュータネットワーク上に投稿された投稿文の内から、前記検索条件設定手段により設定された前記検索ワードに該当する投稿文を抽出する検索手段と、を有することを特徴とする投稿文検索装置。
【請求項７】
移動体の移動予定経路を取得する移動予定経路取得ステップと、
前記移動予定経路と交差する道路であって、前記移動予定経路を走行する車両が前記移動予定経路から進入可能な道路である進入交差道路を取得する交差道路取得ステップと、
前記進入交差道路の周辺に渋滞の要因となる施設である渋滞要因施設があるか否か判定する渋滞施設判定ステップと、
前記進入交差道路の周辺に前記渋滞要因施設があると判定された場合に、前記進入交差道路の名称又は前記移動予定経路と前記進入交差道路の交差点の名称を、検索対象名称として取得する検索対象名称取得ステップと、
前記検索対象名称取得ステップにより取得された前記検索対象名称の文字列から検索ワードを設定する検索条件設定ステップと、
コンピュータネットワーク上に投稿された投稿文の内から、前記検索条件設定ステップにより設定された前記検索ワードに該当する投稿文を抽出する検索ステップと、を有することを特徴とする投稿文検索方法。
【請求項８】
コンピュータに、
移動体の移動予定経路を取得する移動予定経路取得機能と、
前記移動予定経路と交差する道路であって、前記移動予定経路を走行する車両が前記移動予定経路から進入可能な道路である進入交差道路を取得する交差道路取得機能と、
前記進入交差道路の周辺に渋滞の要因となる施設である渋滞要因施設があるか否か判定する渋滞施設判定機能と、
前記進入交差道路の周辺に前記渋滞要因施設があると判定された場合に、前記進入交差道路の名称又は前記移動予定経路と前記進入交差道路の交差点の名称を、検索対象名称として取得する検索対象名称取得機能と、
前記検索対象名称取得機能により取得された前記検索対象名称の文字列から検索ワードを設定する検索条件設定機能と、
コンピュータネットワーク上に投稿された投稿文の内から、前記検索条件設定機能により設定された前記検索ワードに該当する投稿文を抽出する検索機能と、
を実現させることを特徴とするコンピュータプログラム。
【発明の詳細な説明】
【技術分野】
【０００１】
本発明は、コンピュータネットワーク上に投稿された投稿文を検索する投稿文検索システム、投稿文検索装置、投稿文検索方法及びコンピュータプログラムに関する。
【背景技術】
【０００２】
近年、端末を介してコンピュータネットワーク上にユーザが投稿文を投稿するとともに、他のユーザから投稿された投稿文を閲覧することが可能なシステムが提供されている。例えば、ブログ、ＳＮＳ(Social Network Service)、Ｔｗｉｔｔｅｒ（登録商標）、チャット等（以下、ＳＮＳ等という）がある。また、これらの投稿文の中には、渋滞情報や通行止め情報等の交通情報に関する情報を投稿した投稿文も多数含まれている。
【０００３】
ここで、ＳＮＳ等では、最新の情報をいち早く取得できるメリットがあるが、情報量が膨大であるので、閲覧するユーザにとって必要な情報のみを抽出して提供することが難しかった。そこで、多数の情報の中からユーザにとって必要な情報を検索する手段として、例えば再表２０１０／００４６１２号公報には、ＤＢから地点情報の検索を行う場合に、ユーザによって名称やジャンル等の検索用のキーワードが入力されると、キーワードに該当する地点（以下、検索地点という）が検索され、検索地点の位置情報と住所情報がＤＢから抽出されるとともに、検索地点の位置情報から検索地点に該当する地域名称（道路名称や都市名称等）のテキストデータがＤＢから取得され、ＤＢから抽出された検索地点の住所情報と地域名称のテキストデータを組み合わせたテキストデータを検索結果として出力する技術について提案されている。
【先行技術文献】
【特許文献】
【０００４】
【特許文献１】再表２０１０／００４６１２号公報（第１３−１７頁、図２）
【発明の概要】
【発明が解決しようとする課題】
【０００５】
しかしながら、上記特許文献１に記載の技術では、入力されたキーワードに該当する全ての検索地点についてＤＢから位置情報や住所情報が抽出され、更に抽出された位置情報や住所情報からテキストデータが生成され、出力されることとなる。特に、入力されるキーワードの内容によっては、検索地点の数が非常に多数となる場合がある。例えば、都市部において“コンビニ”や“駐車場”をキーワードとして検索を行えば、検索地点の数が非常に多数となることが予想される。従って、検索に係る処理負担や検索時間が大きくなるとともに、ユーザが必要としない情報についても出力される問題があった。更に、検索結果をフィルタリングする必要も生じていた。
【０００６】
本発明は前記従来における問題点を解消するためになされたものであり、コンピュータネットワーク上に投稿された投稿文の内から、ユーザが必要とする情報が投稿された投稿文のみを適切に抽出することを可能にした投稿文検索システム、投稿文検索装置、投稿文検索方法及びコンピュータプログラムを提供することを目的とする。
【課題を解決するための手段】
【０００７】
前記目的を達成するため本発明に係る投稿文検索システム（１）、投稿文検索装置、投稿文検索方法及びコンピュータプログラムは、コンピュータネットワーク上に投稿された多数の投稿文の内から、ユーザが必要とする投稿文を検索する為のシステム、装置、並びに該システムや装置を用いて投稿文の検索を行う投稿文検索方法、更に該装置に対して以下の各機能を実現させるコンピュータプログラムである。具体的には、車両等の移動体の移動予定経路を取得し、移動予定経路と交差する道路であって、移動予定経路を走行する車両が移動予定経路から進入可能な道路である進入交差道路を取得する。次に、進入交差道路の周辺に渋滞の要因となる施設である渋滞要因施設があるか否か判定する。その結果、進入交差道路の周辺に渋滞要因施設があると判定された場合には、進入交差道路の名称又は移動予定経路と進入交差道路の交差点の名称を、検索対象名称として取得し、取得された検索対象名称の文字列から検索ワードを設定する。そして、コンピュータネットワーク上に投稿された投稿文の内から、設定された検索ワードに該当する投稿文を抽出する。
尚、「移動体」は、車両の他、２輪車やユーザ自身（人）であっても良い。
また、「渋滞の要因となる施設」とは、該施設が原因で周辺の道路に渋滞を生じさせる虞のある施設、より具体的には該施設に進入する為の車両が原因で周辺の道路に渋滞を生じさせる虞のある施設であり、例えば、集客力の高い大規模の商業施設、ＴＶや雑誌等のメディアに紹介されてから間もない施設等が該当する。
【発明の効果】
【０００８】
前記構成を有する本発明に係る投稿文検索システム（１）、投稿文検索装置、投稿文検索方法及びコンピュータプログラムでは、渋滞の要因となる施設と周辺の道路形状に基づいて、ユーザの移動予定経路から進入可能な交差道路の内で渋滞している可能性の高い道路や該道路に接続する交差点の名称を検索ワードに設定することが可能となる。その結果、設定された検索ワードを用いることによってコンピュータネットワーク上に投稿された投稿文の内から、ユーザが必要とする情報が投稿された投稿文のみを適切に抽出することが可能となる。特に、ユーザの移動予定経路に関連する渋滞情報、より具体的には、移動予定経路の車両の流れに影響する交差道路の渋滞情報を、投稿文を介して、より速いタイミングで把握することが可能となる。また、ユーザに検索条件を入力させる作業を行わせる必要がないので、操作性についても向上させることが可能となる。
【図面の簡単な説明】
【０００９】
【図１】本実施形態に係る投稿文検索システムを示した概略構成図である。
【図２】本実施形態に係る投稿文検索システムの構成を示したブロック図である。
【図３】投稿文情報管理センタの投稿文情報ＤＢに記憶される投稿文情報の一例を示した図である。
【図４】地図情報に含まれる施設データの一例を示した図である。
【図５】本実施形態に係る通信端末の制御系を模式的に示すブロック図である。
【図６】本実施形態に係る投稿文検索処理プログラムのフローチャートである。
【図７】ディスプレイに表示される投稿文案内画面を示した図である。
【図８】本実施形態に係る検索ワード設定処理のサブ処理プログラムのフローチャートである。
【図９】進入交差道路の特定方法について説明した図である。
【図１０】進入交差道路周辺の渋滞要因施設の抽出範囲について示した図である。
【図１１】進入交差道路周辺の渋滞要因施設の抽出範囲について示した図である。
【図１２】進入交差道路と渋滞要因施設との位置関係を示した図である。
【図１３】検索ワードの設定処理の具体例を示した図である。
【発明を実施するための形態】
【００１０】
以下、本発明に係る投稿文検索システムについて具体化した一実施形態に基づき図面を参照しつつ詳細に説明する。先ず、本実施形態に係る投稿文検索システム１の概略構成について図１及び図２を用いて説明する。図１は本実施形態に係る投稿文検索システム１を示した概略構成図である。図２は本実施形態に係る投稿文検索システム１の構成を示したブロック図である。
【００１１】
図１に示すように、本実施形態に係る投稿文検索システム１は、投稿文管理センタ２が有する投稿文検索サーバ（投稿文検索装置）３と、同じく投稿文管理センタ２が有する投稿文情報管理サーバ４と、ユーザ６が所有する通信端末７とから基本的に構成されている。尚、通信端末７としては、車両に搭載された車載器としてのナビゲーション装置、携帯電話機、ＰＤＡ、タブレット型端末、スマートフォン等がある。また、ユーザ６は車両以外の移動手段（例えば電車、自転車、徒歩等）による移動中であっても良いし、移動していない状態であっても良い。また、投稿文管理センタ２と通信端末７とは通信ネットワーク網８を介して互いに電子データを送受信可能に構成されている。
【００１２】
ここで、投稿文検索サーバ３は、通信端末７のユーザ６がコンピュータネットワーク上に投稿された投稿文の閲覧を要求した場合に、ユーザ６の移動予定経路や周辺の道路形状及び施設情報に基づいて検索条件を設定し、投稿文情報管理サーバ４に記憶された投稿文の内から、情報を要求したユーザ６に関連する内容を投稿した投稿文を抽出するとともに、抽出された投稿文に関する情報を通信端末７に配信することによって投稿文の内容をユーザ６に閲覧可能にするサーバ装置である。尚、投稿文検索サーバ３の詳細については後述する。
【００１３】
また、投稿文情報管理サーバ４は、ブログ、ＳＮＳ(Social Network Service)、Ｔｗｉｔｔｅｒ（登録商標）、チャット等（以下、ＳＮＳ等という）を管理し、ＳＮＳ等においてコンピュータネットワーク上に投稿された投稿文の保管及び提供を行うサーバ装置である。尚、ユーザによる投稿文の投稿は、通信端末７以外に、コンピュータネットワークに接続可能なＰＣやその他の通信装置からも行うことが可能である。
【００１４】
そして、投稿文情報管理サーバ４は、記憶媒体として投稿文情報ＤＢ９を有し、投稿された投稿文は投稿文情報ＤＢ９に順次格納される。また、投稿文情報ＤＢ９には、投稿文の文章（文字列）とともに、該投稿文が投稿された投稿時刻、該投稿文が投稿された際の投稿者の位置（以下、投稿位置という）、投稿者のＩＤ等についても記憶される。ここで、図３は、投稿文情報管理サーバ４において収集及び提供される投稿文の一例を示した図である。図３に示すように投稿文としては、投稿時刻、投稿位置、ユーザＩＤ、投稿文の文章等が含まれる。尚、投稿文情報管理サーバ４には、全国のユーザから投稿された投稿文に関する情報が累積的に投稿文情報ＤＢ９に格納され、格納されたデータ量が所定量以上となると過去の投稿文に関する情報から順に削除される。また、投稿文情報管理サーバ４は投稿文管理センタ２と異なるセンタに設置しても良い。
【００１５】
一方、通信端末７は、ＧＰＳ等の通信端末７の現在位置（即ちユーザ６の現在位置）を特定する為の機能やユーザ６の現在位置周辺の地図画像を表示する機能を備えた情報通信端末が用いられ、例えばナビゲーション装置、携帯電話機、ＰＤＡ、タブレット型端末、スマートフォン等が該当する。
【００１６】
また、通信端末７は、後述の送受信回路部（ＲＦ）３３を介して通信ネットワーク網８に接続され、投稿文管理センタ２と双方向通信可能に構成されている。そして、投稿文管理センタ２から投稿文に関する情報を受信した場合には、後述のように受信した投稿文の文章内容を通信端末７のディスプレイに表示し、投稿文の内容をユーザに閲覧可能とする（図７参照）。尚、通信端末７の詳細については後述する。
【００１７】
また、通信ネットワーク網８は全国各地に配置された多数の基地局と、各基地局を管理及び制御する通信会社とを含み、基地局及び通信会社を有線（光ファイバー、ＩＳＤＮ等）又は無線で互いに接続することにより構成されている。
ここで、基地局は通信端末７との通信をするトランシーバー（送受信機）とアンテナを有する。そして、基地局は通信会社の間で無線通信を行う一方、通信ネットワーク網８の末端となり、基地局の電波が届く範囲（セル）にある通信端末７の通信を投稿文管理センタ２との間で中継する役割を持つ。
【００１８】
続いて、投稿文検索システム１を構成する投稿文検索サーバ３の構成について図２を用いてより詳細に説明する。投稿文検索サーバ３は、図２に示すように情報管理ＥＣＵ１１と、情報管理ＥＣＵ１１に接続された情報記録手段としての地図情報ＤＢ１２と、センタ通信装置１３とから基本的に構成されている。
【００１９】
情報管理ＥＣＵ１１は、図２に示すように投稿文検索サーバ３における各種制御を行う電子制御ユニットである。そして、演算装置及び制御装置としてのＣＰＵ２１、並びにＣＰＵ２１が各種の演算処理を行うに当たってワーキングメモリとして使用されるＲＡＭ２２、各種制御プログラムの他、後述の投稿文検索処理プログラム（図６）等が記憶されたＲＯＭ２３等の内部記憶装置を備えている。尚、情報管理ＥＣＵ１１は、通信端末７のＥＣＵとともに処理アルゴリズムとしての各種手段を構成する。例えば、移動予定経路取得手段は、車両等の移動体の移動予定経路を取得する。交差道路取得手段は、移動予定経路と交差する道路であって、移動予定経路を走行する車両が移動予定経路から進入可能な道路である進入交差道路を取得する。渋滞施設判定手段は、進入交差道路の周辺に渋滞の要因となる施設である渋滞要因施設があるか否か判定する。検索対象名称取得手段は、進入交差道路の周辺に渋滞要因施設があると判定された場合に、進入交差道路の名称又は移動予定経路と進入交差道路の交差点の名称を、検索対象名称として取得する。検索条件設定手段は、検索対象名称取得手段により取得された検索対象名称の文字列から検索ワードを設定する。検索手段は、コンピュータネットワーク上に投稿された投稿文の内から、検索条件設定手段により設定された検索ワードに該当する投稿文を抽出する。転回地点判定手段は、進入交差道路に転回可能な地点があるか否か判定する。地図情報取得手段は地図情報を取得する。施設特定情報取得手段は、渋滞要因施設を特定する情報である施設特定情報を取得する。
【００２０】
また、地図情報ＤＢ１２は、地図情報が記憶される記憶手段である。ここで、地図情報ＤＢ１２に格納されている地図情報は、道路網を始めとして経路探索及び地図表示に必要な各種情報が記録されており、例えば、道路（リンク）に関するリンクデータ２５、ノード点に関するノードデータ、各交差点に関する交差点データ２６、施設に関する施設データ２７、経路を探索するための探索データ、地点を検索するための検索データ、地図を表示するための地図表示データ等から構成されている。尚、地図情報ＤＢ１２は、定期的に新たな地図情報へと更新される。
【００２１】
ここで、リンクデータ２５としては、例えば、該リンクを識別するリンクＩＤ、該リンクの端部に位置するノードを特定する端部ノード情報、該リンクが構成する道路の道路種別、道路名称等が記憶される。また、交差点データ２６としては、該交差点を構成するノードのノードＩＤ、交差点名称、転回規制の有無等が記憶される。また、施設データ２７は、施設を識別する施設ＩＤ、施設名称、ジャンル、施設の位置を特定する情報に加えて、当該施設が渋滞の要因となる施設である渋滞要因施設に該当するか否かを特定する情報について記憶される。ここで、渋滞要因施設は、該施設が原因で周辺の道路に渋滞を生じさせる虞のある施設、より具体的には該施設に進入する為の車両が原因で周辺の道路に渋滞を生じさせる虞のある施設であり、例えば、集客力の高い大規模の商業施設、ＴＶや雑誌等のメディアに紹介されてから間もない施設等が該当する。そして、渋滞要因施設に該当するか否かは、例えば、交通情報センタから取得した過去の周辺道路の渋滞履歴や、外部のサーバから取得したメディアの掲載情報に基づいて判定する。また、施設が渋滞要因施設に該当するか否かの判定は、投稿文検索サーバ３が行っても良いし、他のサーバが行う構成としても良い。
【００２２】
ここで、図４は施設データ２７の一例を示した図である。図４に示すように施設データ２７は、施設ＩＤ、施設名称と、施設の種別（ジャンル）と、施設の位置を特定する位置情報（緯度経度）と、渋滞要因施設に該当するか否かのフラグ情報が含まれる。例えば、図４に示す例では“○○ホームセンター”と“××カフェ”の２つの施設が渋滞要因施設であることを示している。そして、情報管理ＥＣＵ１１は、後述のようにユーザ６の移動予定経路と交差し、且つ移動予定経路から進入可能な道路である進入交差道路の周辺に渋滞要因施設がある場合に、移動予定経路から該進入交差道路へと進入する車線が渋滞すると予測し、該進入交差道路の名称や進入交差道路に接続する交差点の名称を検索ワードに設定する。
【００２３】
尚、地図情報ＤＢ１２は投稿文検索サーバ３が有するのではなく、外部のサーバが有する構成とし、施設データ２７を外部のサーバから通信により投稿文検索サーバ３が取得する構成としても良い。
【００２４】
また、センタ通信装置１３は、通信端末７と通信ネットワーク網８を介して通信を行う為の通信装置である。本実施形態では、センタ通信装置１３を介して投稿文に関する情報を通信端末７との間で送受信する。
【００２５】
次に、ユーザ６が所有する通信端末７の概略構成について図５を用いて説明する。図５は本実施形態に係る通信端末７の制御系を模式的に示すブロック図である。
【００２６】
図５に示すように通信端末７はデータバスＢＵＳに、ＣＰＵ３１と、通信端末７を所持するユーザ６に関するユーザ情報（ユーザＩＤ、氏名等）や地図情報等が記憶されたメモリ３２と、通信ネットワーク網８の基地局との間で信号の送受信を行う送受信回路部（ＲＦ）３３と、送受信回路部３３において受信したＲＦ（Radio Frequency）信号をベースバンド信号に変換するとともにベースバンド信号をＲＦ信号に変換するベースバンド処理部３４と、マイクロホン３５及びスピーカ３６等とのインターフェイスである入出力部３７と、液晶表示パネル等で構成されたディスプレイ３８と、タッチパネルやキーボード等から構成される入力操作部３９と、ＧＰＳ４０とが接続されることにより構成されている。
【００２７】
ここで、通信端末７に内蔵されるＣＰＵ３１は、メモリ３２に格納されている動作プログラムに従って種々の動作を実行する通信端末７の制御手段であり、メモリ３２とともに通信端末ＥＣＵ４１を構成する。また、通信端末ＥＣＵ４１の各種処理内容は必要に応じてディスプレイ３８に表示される。
【００２８】
また、メモリ３２は通信端末７を所持するユーザ６に関するユーザ情報（ユーザＩＤ、氏名等）や地図情報の他、インストールされたナビゲーションアプリ等のアプリケーションプログラム、ユーザ６の現在位置履歴、ナビゲーションアプリにおいて設定された案内経路（ユーザ６の移動予定経路）、後述の投稿文検索処理プログラム（図６）等が記憶された記憶媒体である。
【００２９】
ここで、メモリ３２に記憶される地図情報は、基本的に投稿文検索サーバ３が有する地図情報と同一の構成を有しており、例えば、道路（リンク）に関するリンクデータ、ノード点に関するノードデータ、各交差点に関する交差点データ、施設に関する施設データ、地図を表示するための地図表示データ、経路を探索するための探索データ、地点を検索するための検索データ等からなる。尚、地図情報はメモリ３２に記憶せずに外部のサーバ（例えば投稿文検索サーバ３）から通信により取得する構成としても良い。また、メモリ３２は、ハードディスク、メモリーカード、ＣＤやＤＶＤ等の光ディスク等により構成しても良い。
【００３０】
また、ディスプレイ３８は、筐体の一面に配設されており、液晶ディスプレイや有機ＥＬディスプレイ等が用いられる。そして、通信端末７にインストールされている各種アプリケーションを実行する為のトップ画面や、実行されたアプリケーションに係る画面（インターネット画面、メール画面、ナビゲーション画面等）や、画像、動画等の各種情報が表示される。特に、ナビゲーションアプリを実行した場合に表示されるナビゲーション画面では、道路を含む地図画像、交通情報、出発地から目的地までの案内経路（移動予定経路）、案内経路に沿った案内情報等についても表示される。更に本実施形態では、投稿文管理センタ２から受信した投稿文に関する情報（投稿文の文章内容、投稿者のＩＤ等）についても表示する。
【００３１】
また、入力操作部３９は、ディスプレイ３８の前面に設けられたタッチパネルによって構成されている。そして、通信端末ＥＣＵ４１は、タッチパネルの押下等により出力される電気信号に基づき、対応する各種の動作を実行すべく制御を行う。特に本実施形態では、各種アプリケーションプログラムの起動及び操作を行う際や、投稿文を投稿する際や、既にコンピュータネットワーク上に投稿されている投稿文を閲覧する際等に用いられる。尚、入力操作部３９は、番号／文字入力キー、表示された内容を選択するためのカーソルを動かすカーソルキー、選択を確定する決定キー等の各種キー等により構成することもできる。
【００３２】
また、ＧＰＳ４０は、人工衛星によって発生させられた電波を受信することにより、通信端末７（即ちユーザ６）の現在位置及び現在時刻を検出可能とする。また、ＧＰＳ４０以外にも通信端末７の現在位置や方位を検出する為の他の装置（例えばジャイロセンサ等）を備える構成としても良い。
【００３３】
また、送受信回路部３３は通信ネットワーク網８を介して投稿文管理センタ２と通信可能に構成されている。そして、図示しない外部の交通情報センタ（例えばＶＩＣＳ（登録商標）センタ）を介して、渋滞情報、規制情報、交通事故情報等の交通情報を取得することが可能である。また、投稿文管理センタ２との間で投稿文の閲覧要求を送信したり、抽出された投稿文に関する情報を受信するのにも用いられる。
【００３４】
続いて、前記構成を有する投稿文検索システム１を構成する通信端末７及び投稿文検索サーバ３において実行する投稿文検索処理プログラムについて図６に基づき説明する。図６は本実施形態に係る投稿文検索処理プログラムのフローチャートである。ここで、投稿文検索処理プログラムは通信端末７においてナビゲーションアプリが起動された後に実行され、コンピュータネットワーク上に投稿された投稿文の内から、投稿文の閲覧を要求したユーザ６に関連する内容を投稿した投稿文を抽出するとともに、抽出された投稿文に関する情報を該ユーザ６に提供するプログラムである。尚、以下の図６及び図８にフローチャートで示されるプログラムは、投稿文管理センタ２や通信端末７が備えるＲＡＭやＲＯＭ等に記憶されており、ＣＰＵ２１やＣＰＵ３１により実行される。
【００３５】
先ず、通信端末７において実行される投稿文検索処理プログラムについて説明する。
ステップ（以下、Ｓと略記する）１においてＣＰＵ３１は、ナビゲーションアプリにおいて目的地の設定操作が行われたか否かを判定する。
【００３６】
そして、目的地の設定操作が行われたと判定された場合（Ｓ１：ＹＥＳ）には、Ｓ２へと移行する。それに対して、目的地の設定操作が行われていないと判定された場合（Ｓ１：ＮＯ）には、当該投稿文検索処理プログラムを終了する。
【００３７】
Ｓ２においてＣＰＵ３１は、出発地から設定された目的地までの案内経路を取得する。そして、取得された案内経路はメモリ３２等に記憶される。尚、案内経路は通信端末７が探索する構成としても良いし、外部のサーバが探索し、探索された案内経路を通信端末７が該サーバから受信する構成としても良い。尚、案内経路の探索については公知のダイクストラ法が用いられる。また、出発地はユーザの現在位置としても良いし、ユーザにより選択された任意の地点（例えば自宅）としても良い。前記Ｓ２で取得された案内経路はユーザ６（ユーザ６が車両に乗車している場合には車両）の移動予定経路となる。また、案内経路は数値からなる位置情報として取得及び記憶される。具体的には、出発地から目的地までの座標（緯度経度）点の連なりによって案内経路が特定される。
【００３８】
Ｓ３においてＣＰＵ３１は、投稿文の閲覧要求を投稿文検索サーバ３へと送信する。尚、投稿文の閲覧要求には、閲覧要求の送信元である通信端末７を特定するＩＤや前記Ｓ２で取得した案内経路の位置情報が含まれる。尚、閲覧要求を受信した投稿文検索サーバ３は後述のように、受信した閲覧要求に基づいてコンピュータネットワーク上に投稿された投稿文の内から、“投稿文の閲覧を要求したユーザ６に関連する内容を投稿した投稿文”を抽出する（Ｓ１２〜Ｓ１４）。
【００３９】
次に、Ｓ４においてＣＰＵ３１は、投稿文管理センタ２から送信された投稿文に関する情報を受信する。尚、前記Ｓ４で受信する投稿文に関する情報は、前記Ｓ３で送信した閲覧要求に基づいてコンピュータネットワーク上に投稿された投稿文の内から抽出された投稿文に関する情報であり、“投稿文の閲覧を要求したユーザ６に関連する内容を投稿した投稿文”に関する情報である。また、投稿文に関する情報としては、投稿文の文章とともに、該投稿文が投稿された投稿時刻、投稿位置、投稿者のＩＤ等が含まれる。
【００４０】
その後、Ｓ５においてＣＰＵ３１は、前記Ｓ２で取得された案内経路とともに、前記Ｓ４で受信した投稿文に関する情報をディスプレイ３８に表示する。尚、表示する情報は、投稿文の文章、該投稿文が投稿された投稿時刻、投稿位置、投稿者のＩＤの全てを表示しても良いし、一部のみを表示する構成としても良い。但し、少なくとも投稿文の文章については表示するように構成する。また、前記Ｓ４で投稿文を受信できなかった場合には、前記Ｓ２で取得された案内経路のみを表示する。
【００４１】
ここで、図７は前記Ｓ５においてディスプレイ３８に表示される投稿文案内画面５１を示した図である。図７に示すように投稿文案内画面５１は、案内経路を表示する左画面５２と、投稿文に関する情報を表示する右画面５３の２つの表示領域から構成される。
そして、左画面５２は、ユーザ周辺の地図画像５４と、ユーザの現在位置を示す現在位置マーク５５と、案内経路５６と、表示された投稿文の投稿位置を示す投稿位置マーク５７〜６０とから構成される。
また、右画面５３には、投稿文に関する情報を表示する情報表示スペース６１〜６４が設けられている。各情報表示スペース６１〜６４には、投稿文を投稿した投稿者のＩＤと。投稿文の文章内容をそれぞれ表示する。また、投稿文が多数ある場合には、スクロール操作によって投稿文を切り替えて表示するように構成することが望ましい。また、投稿文に関する情報を表示する際には、ユーザに近い位置で投稿された投稿文を優先して表示するようにしても良い。更に、後述の検索処理（Ｓ１３）において検索ワードに対する一致度合が高いと判定された投稿文を優先して表示するようにしても良い。尚、右画面５３を表示せずに、左画面５２のみを表示する構成とし、左画面５２の投稿位置マーク５７〜６０が選択された後に対応する投稿文の情報表示スペース６１〜６４を新たに画面上に配置するように構成しても良い。また、投稿位置マーク５７〜６０を表示しない構成としても良い。
【００４２】
そして、ユーザは図７に示す投稿文案内画面５１を視認することによって、ユーザ６に関連する内容を投稿した投稿文の内容を閲覧することが可能となる。特に、本実施形態では後述のように案内経路と交差し、且つ案内経路から進入可能な道路である進入交差道路の周辺に渋滞要因施設がある場合に、該進入交差道路の名称や進入交差道路に接続する交差点の名称を検索ワードに設定するので、案内経路に関連する渋滞情報（より具体的には、案内経路の車両の流れに影響する交差道路の渋滞情報）をより速いタイミングで把握することが可能となる。
【００４３】
次に、投稿文検索サーバ３において実行される投稿文検索処理プログラムについて説明する。
先ず、Ｓ１１においてＣＰＵ２１は、投稿文の閲覧を要求するユーザ６から送信された閲覧要求を受信する。尚、閲覧要求には、閲覧要求の送信元である通信端末７を特定するＩＤや通信端末７において設定された案内経路（ユーザ６の移動予定経路）の位置情報が含まれる。また、受信した閲覧要求に含まれる案内経路の位置情報は、ＲＡＭ２２等の記憶媒体に一旦格納される。
【００４４】
次に、Ｓ１２においてＣＰＵ２１は、後述の検索ワード設定処理（図８）を実行する。ここで、検索ワード設定処理は、前記Ｓ１１で受信した閲覧要求に含まれる案内経路の位置情報と渋滞要因施設や周辺の道路形状に関する情報を含む地図情報とに基づいて、コンピュータネットワーク上に投稿された投稿文の内から、“投稿文の閲覧を要求したユーザ６に関連する内容を投稿した投稿文”を検索する為の検索ワードを設定する処理である。
【００４５】
その後、Ｓ１３においてＣＰＵ２１は、前記Ｓ１２で設定された検索ワードを用いて、コンピュータネットワーク上に投稿された投稿文の内から、“投稿文の閲覧を要求したユーザ６に関連する内容を投稿した投稿文”を検索する検索処理を実行する。具体的には、前記Ｓ１２で設定された検索ワードを文章中に含む投稿文に関する情報を、投稿文情報管理サーバ４の投稿文情報ＤＢ９に格納された投稿文情報（図３）の中から抽出する。
【００４６】
例えば、前記Ｓ１３において「○×通り」と「渋滞」の組み合わせ、及び「××交差点」と「渋滞」の組み合わせが検索ワードとして設定された場合には、“渋滞  ＡＮＤ  ○×通り  ＯＲ  ××交差点”が検索条件として設定され、文章中に「○×通り」と「渋滞」の文字列の両方を含む投稿文及び「××交差点」と「渋滞」の文字列の両方を含む投稿文に関する情報がそれぞれ投稿文情報ＤＢ９から抽出される。
【００４７】
その後、Ｓ１４においてＣＰＵ２１は、前記Ｓ１３で抽出された投稿文に関する情報を、投稿文の閲覧を要求した通信端末７に対して送信する。その結果、投稿文の閲覧を要求した通信端末７において、ユーザ６に関連する内容を投稿した投稿文に関する情報が表示される（Ｓ５）。
【００４８】
次に、前記Ｓ１２において実行される検索ワード設定処理のサブ処理について図８に基づき説明する。図８は検索ワード設定処理のサブ処理プログラムのフローチャートである。
【００４９】
先ず、Ｓ２１においてＣＰＵ２１は、前記Ｓ１１で受信した閲覧要求に含まれる案内経路（ユーザの移動予定経路）の位置情報をＲＡＭ２２から読み出す。
【００５０】
次に、Ｓ２２においてＣＰＵ２１は、前記Ｓ２１で読み出した案内経路の位置情報と地図情報ＤＢ１２に記憶された交差点データ２６とに基づいて、案内経路に含まれる交差点を特定し、特定された交差点に関する情報（交差点を構成するノードのノードＩＤ、交差点名称等）を取得する。
【００５１】
続いて、Ｓ２３においてＣＰＵ２１は、前記Ｓ２１で読み出した案内経路の位置情報と地図情報ＤＢ１２に記憶されたリンクデータ２５とに基づいて、前記Ｓ２２で特定された交差点において案内経路と交差する交差道路を特定し、特定された交差道路に関する情報（交差道路を構成するリンクのリンクＩＤ、道路種別、道路名称等）を取得する。
【００５２】
その後、Ｓ２４においてＣＰＵ２１は、交差点データ２６やリンクデータ２５に基づいて、前記Ｓ２３で特定された交差道路の内、案内経路を走行する車両が案内経路から進入可能な道路である進入交差道路を特定する。例えば、図９に示すように案内経路７０に対して交差点７１で交差道路７２、７３が接続され、交差点７４で交差道路７５、７６が接続されている場合について説明する。図９に示す例では、交差道路７２、７３は進行方向の規制が無いが、交差道路７５、７６については一方通行の規制が存在する。従って、案内経路７０を走行する車両は、交差道路７２、７３、７６には進入できるが、交差道路７５には進入することができない。従って、交差道路７２、７３、７６が進入交差道路として特定されることとなる。尚、前記Ｓ２４では一方通行の規制以外に、例えば車両進入禁止、歩行者専用等の規制についても考慮して進入交差道路が特定される。
【００５３】
次に、Ｓ２５においてＣＰＵ２１は、施設データ２７（図４）に基づいて、前記Ｓ２４で特定された進入交差道路の周辺にある渋滞要因施設を抽出する。特に、前記Ｓ２４において進入交差道路が複数特定されている場合には、特定された各進入交差道路を対象として前記Ｓ２５の処理を実行する。
【００５４】
尚、渋滞要因施設は、前記したように該施設が原因で周辺の道路に渋滞を生じさせる虞のある施設、より具体的には該施設に進入する為の車両が原因で周辺の道路に渋滞を生じさせる虞のある施設であり、例えば、集客力の高い大規模の商業施設、ＴＶや雑誌等のメディアに紹介されてから間もない施設等が該当する。そして、進入交差道路の周辺にある施設が渋滞要因施設か渋滞要因施設以外の施設であるかは、施設データ２７によって特定される。また、進入交差道路の周辺にある渋滞要因施設とは、進入交差道路沿いにある渋滞要因施設に加えて、進入交差道路と交差する道路や並走する道路沿いにある渋滞要因施設も対象とするのが望ましい。例えば、図１０に示すように進入交差道路７３沿いにある渋滞要因施設に加えて、進入交差道路７３と交差する道路７７や並走する道路７８沿いにある渋滞要因施設も抽出対象とする。但し、渋滞要因施設が進入交差道路７３から所定距離Ｄ（例えば１００ｍ）以内にあることを条件とする。
【００５５】
更に、前記Ｓ２５において抽出対象となる渋滞要因施設は、案内経路から大きく離れていないことを条件とするのが望ましい。例えば、図１０に示すように案内経路７０から所定距離Ｌ（例えば１ｋｍ）以内にあることを条件としても良いし、図１１に示すように進入交差道路７３が所定幅以上（例えば一般道以上）の道路７９と交差するまでの範囲内にあることを条件としても良い。また、所定幅以上の条件は設けなくても良い。
【００５６】
以下のＳ２６〜Ｓ２８の処理は前記Ｓ２５で抽出された渋滞要因施設毎に実行する。そして、前記Ｓ２５で抽出された全ての渋滞要因施設を対象としてＳ２６〜Ｓ２８の処理が実行された後にＳ１３へと移行する。
【００５７】
Ｓ２６においてＣＰＵ２１は、前記Ｓ２５で抽出された渋滞要因施設の位置と進入交差道路の位置とを比較することによって、進入交差道路に対して案内経路から進入した車両が走行する車線側に渋滞要因施設があるか否か判定する。即ち、左側通行の地域では進入交差道路に対して案内経路側から見て左側に渋滞要因施設があるか否か判定され、右側通行の地域では進入交差道路に対して案内経路側から見て右側に渋滞要因施設があるか否か判定されることとなる。例えば、図１２に示すように案内経路７０と進入交差道路７３が位置する場合には、左側通行の地域では領域Ａに渋滞要因施設があるか否か判定され、右側通行の地域では領域Ｂに渋滞要因施設があるか否か判定される。但し、進入交差道路７３が仮に一方通行の道路である場合には、渋滞要因施設が領域Ａと領域Ｂのどちら側にあっても車両が走行する車線側に渋滞要因施設があると判定される。
【００５８】
そして、進入交差道路に対して案内経路から進入した車両が走行する車線側に渋滞要因施設があると判定された場合（Ｓ２６：ＹＥＳ）には、Ｓ２７へと移行する。その場合にはＣＰＵ２１は、該進入交差道路の車線の内、少なくとも案内経路から進入した車両が走行する車線については渋滞要因施設へ進入する車両が原因で渋滞している可能性が高いと予測する。
【００５９】
それに対して、進入交差道路に対して案内経路から進入した車両が走行する車線側に渋滞要因施設が無いと判定された場合（Ｓ２６：ＮＯ）には、Ｓ２８へと移行する。
【００６０】
Ｓ２７においてＣＰＵ２１は、前記Ｓ２６で車両の走行車線側に渋滞要因施設があると判定された進入交差道路の名称、及び案内経路と該進入交差道路の交差点の名称を、検索対象名称として取得する。そして、取得された進入交差道路の名称の文字列と、文字列『渋滞』の組合せを検索ワードとして設定する。同じく、取得された交差点の名称の文字列と、文字列『渋滞』の組合せを検索ワードとして設定する。例えば、図１３に示すように進入交差道路７６の車両の走行車線側に渋滞要因施設８０がある場合には、進入交差道路７６の名称と交差点７４の名称が検索対象名称として取得される。従って、『進入交差道路７６の名称』と『渋滞』の組合せ、『交差点７４の名称』と『渋滞』の組合せを検索ワードとして設定する。尚、進入交差道路の名称としては、進入交差道路が国道や県道である場合には番号（例えば国道１号）でも良いし、通りの名称（例えば明治通り）でも良いし、略称（例えば環七）でも良い。
その後、設定された検索ワードに基づいて、コンピュータネットワーク上に投稿された投稿文の内から、検索ワードを含む投稿文を検索する検索処理を実行する（Ｓ１３）。
【００６１】
一方、Ｓ２８においてＣＰＵ２１は、前記Ｓ２５で抽出された渋滞要因施設の位置と地図情報に基づいて、渋滞要因施設（前記Ｓ２６で車両の走行車線側の反対側にあると判定された渋滞要因施設）よりも案内経路と進入交差道路の交差点から離間した位置に車両が転回可能な地点があるか否か判定する。尚、車両が転回可能な地点とは、例えば転回が禁止されていない交差点が該当する。
【００６２】
そして、渋滞要因施設よりも案内経路と進入交差道路の交差点から離間した位置に車両が転回可能な地点があると判定された場合（Ｓ２８：ＹＥＳ）には、Ｓ２７へと移行する。その場合にはＣＰＵ２１は、該進入交差道路の車線の内、少なくとも案内経路から進入した車両が走行する車線については転回して渋滞要因施設へ進入する車両が原因で渋滞している可能性が高いと予測する。
【００６３】
そして、Ｓ２７においてＣＰＵ２１は、前記Ｓ２８で車両の転回可能地点があると判定された進入交差道路の名称、及び案内経路と該進入交差道路の交差点の名称を、検索対象名称として取得する。そして、取得された進入交差道路の名称の文字列と、文字列『渋滞』の組合せを検索ワードとして設定する。同じく、取得された交差点の名称の文字列と、文字列『渋滞』の組合せを検索ワードとして設定する。例えば、図１３に示すように進入交差道路７２の車両の走行車線側の反対側に渋滞要因施設８１があって、且つ交差点７１に対して渋滞要因施設８１より遠方に転回可能地点８２がある場合には、進入交差道路７２の名称と交差点７１の名称が検索対象名称として取得される。従って、『進入交差道路７２の名称』と『渋滞』の組合せ、『交差点７１の名称』と『渋滞』の組合せを検索ワードとして設定する。
【００６４】
一方、渋滞要因施設よりも案内経路と進入交差道路の交差点から離間した位置に車両が転回可能な地点が無いと判定された場合（Ｓ２８：ＮＯ）には、該進入交差道路の車線の内、少なくとも案内経路から進入した車両が走行する車線については渋滞している可能性が低いと予測する。そして、検索ワードの設定を行うことなくＳ２６へと戻り、次の渋滞要因施設を対象として処理を継続する。
【００６５】
以上詳細に説明した通り、本実施形態に係る投稿文検索システム１、投稿文検索システム１による投稿文検索方法及び投稿文検索システム１において実行されるコンピュータプログラムでは、通信端末７において案内経路が設定された場合に、投稿文の閲覧要求を投稿文検索サーバ３へと送信し（Ｓ３）、閲覧要求を受信した投稿文検索サーバ３は、案内経路と交差する道路であって、案内経路を走行する車両が案内経路から進入可能な道路である進入交差道路を取得し（Ｓ２３）、進入交差道路の周辺に渋滞の要因となる施設である渋滞要因施設があるか否か判定し（Ｓ２６、Ｓ２８）、進入交差道路の周辺に渋滞要因施設があると判定された場合に、『進入交差道路の名称』と『渋滞』の組み合わせ、又は『案内経路と進入交差道路の交差点の名称』と『渋滞』の組み合わせを検索ワードに設定し（Ｓ２７）、コンピュータネットワーク上に投稿された投稿文の内から、設定された検索ワードを含む投稿文を検索し（Ｓ１３）、検索された投稿文を提供する（Ｓ１４）ので、渋滞要因施設と周辺の道路形状に基づいて、ユーザの移動予定経路から進入可能な交差道路の内で渋滞している可能性の高い道路や該道路に接続する交差点の名称を検索ワードに設定することが可能となる。その結果、設定された検索ワードを用いることによってコンピュータネットワーク上に投稿された投稿文の内から、ユーザが必要とする情報が投稿された投稿文のみを適切に抽出することが可能となる。特に、ユーザの移動予定経路に関連する渋滞情報、より具体的には、移動予定経路の車両の流れに影響する交差道路の渋滞情報を、投稿文を介して、より速いタイミングで把握することが可能となる。また、ユーザに検索条件を入力させる作業を行わせる必要がないので、操作性についても向上させることが可能となる。
【００６６】
尚、本発明は前記実施形態に限定されるものではなく、本発明の要旨を逸脱しない範囲内で種々の改良、変形が可能であることは勿論である。
例えば、本実施形態では投稿文検索処理プログラム（図６）のＳ１１〜Ｓ１４の処理を投稿文検索サーバ３が実行する構成としているが、投稿文情報管理サーバ４や通信端末７が一部または全部の処理を実行する構成としても良い。
【００６７】
また、本実施形態では、投稿の閲覧を要求した通信端末７で設定された案内経路を、ユーザの移動予定経路として通信端末７から投稿文検索サーバ３へと送信する構成としているが、案内経路の代わりに通信端末７において設定されている出発地と目的地を送信する構成としても良い。その場合には、投稿文検索サーバ３が受信した出発地と目的地から案内経路の探索を行う。また、案内経路以外の経路をユーザの移動予定経路としても良い。例えば、ユーザが現在位置から道なりに移動すると仮定した経路を、ユーザの移動予定経路として特定しても良い。また、ユーザの過去の移動履歴からユーザの移動予定経路を特定しても良い。更に、移動予定経路は車両による移動予定経路であっても、車両以外の移動手段（例えば電車、自転車、徒歩等）による移動予定経路であっても良い。
【００６８】
また、本実施形態では、『進入交差道路の名称』と『渋滞』の組合せ、及び『交差点の名称』と『渋滞』の組合せをそれぞれ検索ワードとして設定することとしているが、『進入交差道路の名称』と『渋滞』の組合せのみ、又は『交差点の名称』と『渋滞』の組合せのみを検索ワードとして設定しても良い。更に、『渋滞』の代わりに『渋滞』以外の交通状況を示す文字列（例えば、『混雑』等）を検索ワードとして設定しても良い。
【００６９】
また、本実施形態では、投稿文情報管理サーバ４において投稿文に関する情報として、投稿文の文章とともに、該投稿文が投稿された投稿時刻、該投稿文が投稿された際の投稿者の位置情報、投稿者のＩＤ等について記憶される構成としているが、投稿文の文章のみを記憶する構成としても良い。
【００７０】
また、本発明に係る投稿文検索システムを具体化した実施例について上記に説明したが、投稿文検索システムは以下の構成を有することも可能であり、その場合には以下の効果を奏する。
【００７１】
例えば、第１の構成は以下のとおりである。
渋滞施設判定手段は、進入交差道路の周辺であって、進入交差道路に対して移動予定経路から進入した車両が走行する車線側に渋滞要因施設があるか否か判定し、検索対象名称取得手段は、進入交差道路の周辺であって、進入交差道路に対して移動予定経路から進入した車両が走行する車線側に渋滞要因施設があると判定された場合に、進入交差道路の名称又は移動予定経路と進入交差道路の交差点の名称を、検索対象名称として取得する。
上記構成を有する投稿文検索システムによれば、移動予定経路から進入交差道路へと進入する車線が、渋滞要因施設に進入する車両によって渋滞する可能性が高い場合に、該渋滞に関する情報が投稿された投稿文を適切に抽出することが可能となる。
【００７２】
また、第２の構成は以下のとおりである。
渋滞施設判定手段は、進入交差道路の周辺であって、進入交差道路に対して移動予定経路から進入した車両が走行する車線側の反対側に渋滞要因施設があるか否か判定し、進入交差道路に転回可能な地点があるか否か判定する転回地点判定手段を有し、検索対象名称取得手段は、進入交差道路の周辺であって、進入交差道路に対して移動予定経路から進入した車両が走行する車線側の反対側に渋滞要因施設があり、且つ進入交差道路に転回可能な地点があると判定された場合に、進入交差道路の名称又は移動予定経路と進入交差道路の交差点の名称を、検索対象名称として取得する。
上記構成を有する投稿文検索システムによれば、移動予定経路から進入交差道路へと進入する車線が、転回して渋滞要因施設に進入する車両によって渋滞する可能性が高い場合に、該渋滞に関する情報が投稿された投稿文を適切に抽出することが可能となる。
【００７３】
また、第３の構成は以下のとおりである。
転回地点判定手段は、渋滞要因施設よりも移動予定経路と進入交差道路の交差点から離間した位置に転回可能な地点があるか否か判定する。
上記構成を有する投稿文検索システムによれば、転回可能な地点と渋滞要因施設との位置関係に基づいて、転回して渋滞要因施設に進入する車両についても考慮して進入交差道路に渋滞が生じるか否かを予測することが可能となる。従って、進入交差道路の渋滞状況について、より正確に予測することが可能となる。
【００７４】
また、第４の構成は以下のとおりである。
地図情報を取得する地図情報取得手段と、渋滞要因施設を特定する情報である特定情報を取得する施設特定情報取得手段と、を有し、渋滞施設判定手段は、地図情報と施設特定情報に基づいて、進入交差道路の周辺に渋滞要因施設があるか否か判定する。
上記構成を有する投稿文検索システムによれば、集客力の高い大規模の商業施設、ＴＶや雑誌等のメディアに紹介されてから間もない施設等の該施設が原因で周辺の道路に渋滞を生じさせる虞のある施設を、施設特定情報に基づいて渋滞要因施設として適切に特定することが可能となる。
【符号の説明】
【００７５】
１            投稿文検索システム
２            投稿文管理センタ
３            投稿文検索サーバ
４            投稿文情報管理サーバ
６            ユーザ
７            通信端末
２７          施設データ
【図１】
2015022741.tif 000003
【図２】
2015022741.tif 000004
【図３】
2015022741.tif 000005
【図４】
2015022741.tif 000006
【図５】
2015022741.tif 000007
【図６】
2015022741.tif 000008
【図７】
2015022741.tif 000009
【図８】
2015022741.tif 000010
【図９】
2015022741.tif 000011
【図１０】
2015022741.tif 000012
【図１１】
2015022741.tif 000013
【図１２】
2015022741.tif 000014
【図１３】
2015022741.tif 000015